(57)【特許請求の範囲】
【請求項１】
トナー像を形成するトナー像形成手段と、
前記トナー像形成手段により形成された前記トナー像を記録材に転写する転写手段と、
前記転写手段により転写された前記トナー像を記録材に定着する定着手段と、
前記転写手段から前記定着手段に記録材を搬送する回転体と、記録材の搬送方向に沿って形成される突起部を有する記録材案内部とを備える搬送手段と、
前記転写手段と前記搬送手段の間に配され、記録材を除電する除電手段と、
を備え、
前記除電手段は、
尖状突起を有する第１除電部と、
前記第１除電部の記録材搬送方向下流側に配され、記録材と非接触に配される第２除電部と、
を備え、
前記第２除電部の記録材搬送方向の幅を前記第１除電部の記録材搬送方向の幅より大きくすることを特徴とする画像形成装置。
【請求項２】
前記除電手段の前記第１除電部は、接地電圧とすることを特徴とする請求項１に記載の画像形成装置。
【請求項３】
前記搬送手段は、記録材が当該搬送手段を通過するときの搬送方向の水平方向に対する角度が、記録材が前記除電手段を通過するときの搬送方向の水平方向に対する角度に対し小さくなるように配することで記録材の搬送方向を変更し、
前記第２除電部は、記録材の搬送方向を変更する箇所に隣接して配することを特徴とする請求項１または２に記載の画像形成装置。
【請求項４】
前記除電手段の前記第２除電部は、導電性繊維を含む材料からなることを特徴とする請求項１乃至３の何れか１項に記載の画像形成装置。
【請求項５】
尖状突起を有する第１除電部と、
前記第１除電部の記録材搬送方向下流側に配される搬送案内部と、
搬送案内部に取り付けられ記録材と非接触に配される第２除電部と、
を備え、
前記第２除電部の記録材搬送方向の幅を前記第１除電部の記録材搬送方向の幅より大きく、且つ、搬送された記録材と当該第１除電部との距離よりも搬送された記録材と当該第２除電部との距離を大きくし、当該第１除電部および当該第２除電部により記録材の除電を行なうことを特徴とする除電装置。
【請求項６】
前記第１除電部は、接地電圧とすることを特徴とする請求項５に記載の除電装置。
【発明の詳細な説明】
【技術分野】
【０００１】
本発明は、画像形成装置、除電装置に関する。
【背景技術】
【０００２】
電子写真方式を用いた複写機、プリンタ等の画像形成装置では、例えばドラム状に形成された感光体を一様に帯電し、この感光体を画像情報に基づいて制御された光で露光して感光体上に静電潜像を形成する。そして、この静電潜像をトナーによって可視像（トナー像）とし、更にこのトナー像を記録材に転写し、これを定着装置によって定着して画像形成している。
【０００３】
特許文献１には、記録シートの第１面に画像を形成したのちに、記録シートの第２面に画像を形成して記録シートの両面に画像形成可能な複写機であって、二次転写ローラと、記録シートの搬送路に沿った転写ローラの下流に配設され、トナー画像を記録シートに定着させる定着部と、転写ローラから定着部に至る搬送路の途中に配設され、記録シートに帯電した電荷を除去する除電部材とを備え、記録シートの第２面にトナー画像を転写するときには、記録シートの第１面にトナー画像を転写するときよりも、記録シートのループ量を小さくする制御を実行する画像形成装置が開示されている。
【先行技術文献】
【特許文献】
【０００４】
【特許文献１】特開２００８−７６６８０号公報
【発明の概要】
【発明が解決しようとする課題】
【０００５】
ここで、一般的に転写手段では、トナーと逆極性の電圧を印加して電界を発生させ、電界を形成させることにより生じる静電気力によってトナー像を記録材上に転写させている。そのためトナー像が転写された後の記録材は静電気を帯びている場合がある。そしてトナー像が転写された記録材を転写手段から定着手段に移動させる際に、この静電気に起因してトナーが移動し、形成される画像に乱れが生じることがあった。
本発明は、トナー像が転写された記録材を転写手段から定着手段に移動させる際にトナーが移動しにくく、形成される画像に乱れが生じにくい画像形成装置等を提供することを目的とする。
【課題を解決するための手段】
【０００６】
請求項１に記載の発明は、トナー像を形成するトナー像形成手段と、前記トナー像形成手段により形成された前記トナー像を記録材に転写する転写手段と、前記転写手段により転写された前記トナー像を記録材に定着する定着手段と、前記転写手段から前記定着手段に記録材を搬送する回転体と、記録材の搬送方向に沿って形成される突起部を有する記録材案内部とを備える搬送手段と、前記転写手段と前記搬送手段の間に配され、記録材を除電する除電手段と、を備え、前記除電手段は、尖状突起を有する第１除電部と、前記第１除電部の記録材搬送方向下流側に配され、記録材と非接触に配される第２除電部と、を備え、前記第２除電部の記録材搬送方向の幅を前記第１除電部の記録材搬送方向の幅より大きくすることを特徴とする画像形成装置である。
【０００７】
請求項２に記載の発明は、前記除電手段の前記第１除電部は、接地電圧とすることを特徴とする請求項１に記載の画像形成装置である。
請求項３に記載の発明は、前記搬送手段は、記録材が当該搬送手段を通過するときの搬送方向の水平方向に対する角度が、記録材が前記除電手段を通過するときの搬送方向の水平方向に対する角度に対し小さくなるように配することで記録材の搬送方向を変更し、前記第２除電部は、記録材の搬送方向を変更する箇所に隣接して配することを特徴とする請求項１または２に記載の画像形成装置である。
請求項４に記載の発明は、前記除電手段の前記第２除電部は、導電性繊維を含む材料からなることを特徴とする請求項１乃至３の何れか１項に記載の画像形成装置である。
【０００８】
請求項５に記載の発明は、尖状突起を有する第１除電部と、前記第１除電部の記録材搬送方向下流側に配される搬送案内部と、搬送案内部に取り付けられ記録材と非接触に配される第２除電部と、を備え、前記第２除電部の記録材搬送方向の幅を前記第１除電部の記録材搬送方向の幅より大きく、且つ、搬送された記録材と当該第１除電部との距離よりも搬送された記録材と当該第２除電部との距離を大きくし、当該第１除電部および当該第２除電部により記録材の除電を行なうことを特徴とする除電装置である。
【０００９】
請求項６に記載の発明は、前記第１除電部は、接地電圧とすることを特徴とする請求項５に記載の除電装置である。
【発明の効果】
【００１０】
請求項１の発明によれば、トナー像が転写された記録材を転写手段から定着手段に移動させる際にトナーが移動しにくく、形成される画像に乱れが生じにくい画像形成装置を提供することができる。また本構成を採用しない場合に比較して、第２除電部によってより多くの静電気を除去しやすくなる。
請求項２の発明によれば、本構成を採用しない場合に比較して、第２除電部を設けることに起因して生じる画像乱れを抑制することができる。
請求項３の発明によれば、本構成を採用しない場合に比較して、除電部を通過した後の記録材の静電気量を予め定められた範囲内としやすくなる。
請求項４の発明によれば、本構成を採用しない場合に比較して、除電部を通過した後の記録材の静電気の分布に、よりムラが生じにくくなる。
請求項５の発明によれば、記録材の静電気量を予め定められた範囲内としやすくなり、また第２除電部によってより多くの静電気を除去しやすくなる除電装置を提供することができる。
請求項６の発明によれば、本構成を採用しない場合に比較して、第１除電部と第２除電部との間に電気的な相互作用が生じにくくなる。
【図面の簡単な説明】
【００１１】
【図１】本実施の形態に係る画像形成装置の概略構成を示している。
【図２】本実施の形態の搬送手段について説明した図である。
【図３】本実施の形態の除電手段について説明した図である。
【図４】（ａ）〜（ｂ）は、第１除電部を更に詳しく説明した図である。
【図５】（ａ）〜（ｃ）は、画像乱れについて説明した概念図である。
【発明を実施するための形態】
【００１２】
以下、添付図面を参照して、本発明の実施の形態について詳細に説明する。
【００１３】
＜画像形成装置全体の説明＞
以下、添付図面を参照して、実施の形態について詳細に説明する。
図１は、本実施の形態に係る画像形成装置の概略構成を示している。
本実施の形態に係る画像形成装置１は、矢印Ａ方向に回転可能に配設される像保持体としての感光体ドラム１１、矢印Ｂ方向に回転可能に配設され、感光体ドラム１１上に形成された各色成分トナー像を順次転写（一次転写）して保持させる転写材としての中間転写ベルト２０、中間転写ベルト２０上に転写された重ねトナー像を記録材である用紙Ｐに一括転写（二次転写）させる二次転写部３０、二次転写されたトナー像を用紙Ｐに定着する定着手段（定着装置）の一例としての定着部５０、画像形成装置１の各機構部を制御する制御部６０、二次転写部３０により帯電した用紙Ｐを除電する除電装置の一例としての除電手段７０、二次転写部３０から定着部５０に用紙Ｐを搬送する搬送手段８０を備えている。
【００１４】
感光体ドラム１１の周囲には、感光体ドラム１１を帯電させる接触帯電部材としての帯電ロール１２、感光体ドラム１１上に静電潜像が書込まれるトナー像形成部としてのレーザ露光器１３（図中露光ビームを符号Ｂｍで示す）、イエロー（Ｙ）、マゼンタ（Ｍ）、シアン（Ｃ）、黒（Ｋ）の各色成分トナーが収容されて感光体ドラム１１上の静電潜像をトナーにより可視像化する現像部としての現像器１４Ｙ，１４Ｍ，１４Ｃ，１４Ｋを回転可能に取り付けた回転式現像装置１４、感光体ドラム１１上に形成された各色成分トナー像を中間転写ベルト２０に転写する転写部としての一次転写ロール１５、感光体ドラム１１上の残留トナーのうち通常の極性と逆極性に帯電したトナーを回収するクリーニングブレード１６などの電子写真用デバイスが順次配設されている。
【００１５】
ここで、帯電ロール１２は、金属製シャフト表面にエピクロルヒドリンゴム層を形成し、さらにこのエピクロルヒドリンゴム層の表面に酸化錫の導電粉を含有させたポリアミドを３μｍほどコートしたものからなる。なお本実施の形態では、帯電ロール１２は、スコロトロン型の帯電装置とすることもできる。
【００１６】
さらに、感光体ドラム１１は、金属製の薄肉の円筒形ドラムの表面に有機感光層を形成したものからなり、有機感光層が負極性に帯電する材料で構成されている。そして、現像器１４Ｙ，１４Ｍ，１４Ｃ，１４Ｋによる現像は反転現像方式にて行われる。従って、現像器１４Ｙ，１４Ｍ，１４Ｃ，１４Ｋで使用されるトナーは負極性帯電タイプのものである。帯電ロール１２には予め定められた帯電バイアスを印加するための帯電バイアス電源１２ａが、回転式現像装置１４には各現像器１４Ｙ，１４Ｍ，１４Ｃ，１４Ｋに予め定められた現像バイアスを印加するための現像バイアス電源１４ａが、一次転写ロール１５には予め定められた一次転写バイアスを印加するための一次転写バイアス電源１５ａが、それぞれ接続されている。また、回転式現像装置１４には、回転により予め定められた現像器を感光体ドラム１１に対向させるための現像装置駆動モータ１４ｂが取り付けられている。なお、感光体ドラム１１は接地されている。なお本実施の形態の画像形成装置１では、感光体ドラム１１、帯電ロール１２、レーザ露光器１３、回転式現像装置１４をトナー像を形成するトナー像形成手段として捉えることができる。
【００１７】
中間転写ベルト２０は、複数（本実施の形態では６つ）のロール２１〜２６に掛け渡されるようになっている。これらのうち、ロール２１は中間転写ベルト２０の駆動ロール、ロール２２は中間転写ベルト２０の位置決めや平坦な一次転写面の形成に用いられる金属製のアイドルロール、ロール２３は中間転写ベルト２０の張力を一定とするために用いられるテンションロール、ロール２４，２５は従動ロール、ロール２６は後述する二次転写用のバックアップロールである。また、中間転写ベルト２０は、ポリイミド、ポリカーボネート、ポリエステル、ポリプロピレン、ポリカーボネート、ポリエステル、ポリエチレンテレフタレート、アクリル、塩化ビニル等の樹脂または各種ゴム等に導電剤としてカーボンブラックを適量含有させたものからなり、その表面抵抗率を１０．８±０．６ｌｏｇΩ／□、体積抵抗率を１０±２ｌｏｇΩ・ｃｍ、厚みを９０±１５μｍとしたものを用いている。
【００１８】
二次転写部３０は、中間転写ベルト２０のトナー像保持面側に配置される二次転写ロール３１と、ロール２６と、二次転写ロール３１上に残留するトナー等を除去するクリーニングブレード３２等とによって構成される。二次転写ロール３１は、ロール２６は、エピクロンヒドリンゴムとＮＢＲのブレンドゴムのチューブ、内部はＥＰＤＭゴムからなり、その表面抵抗率が６．７±０．１５ｌｏｇΩ／□となるように形成され、硬度は例えば７０°（アスカＣ）に設定される。このロール２６の軸部には予め定められた二次転写バイアスを印加するための二次転写バイアス電源３１ａが接続され、一方、二次転写ロール３１は接地されている。
【００１９】
一方、二次転写部３０の下流側には、二次転写後の中間転写ベルト２０上に付着する残留トナーを除去するクリーナとしてのベルトクリーナ２７が設けられており、中間転写ベルト２０を挟んでベルトクリーナ２７に対向する位置には、中間転写ベルト２０の内面に沿って板金部材２８が配置されている。このベルトクリーナ２７は、ウレタン性のクリーニングブレード４１と、このクリーニングブレード４１が収容されるクリーナハウジング４２とを有している。また、クリーニングブレード４１の一端側はブロック４３に挟み込まれることで固定されており、このブロック４３は軸４４ａを中心に揺動するホルダ４４に取り付けられている。さらに、ホルダ４４の下端側に設けられた凹部４４ｂとクリーナハウジング４２下部に設けられた膨出部４２ａとの間には、クリーニングブレード４１を中間転写ベルト２０に向けて付勢するバネ４５が取り付けられ、クリーニングブレード４１からみて中間転写ベルト２０の移動方向上流側には、除去した異物の外部への飛び散りを抑制するためのフィルムシール４６が取り付けられている。
【００２０】
また、ホルダ４４は、クリーナ駆動モータ２７ａに接続された図示しないカムによりバネ４５の付勢方向とは逆方向に付勢あるいは付勢解除できるようになっており、これによりクリーニングブレード４１が中間転写ベルト２０に対して接離できるようになっている。そして、本実施の形態では、複数色からなるカラー画像が形成される場合には、最終色前のトナー像が二次転写ロール３１およびベルトクリーナ２７を通過するまで、これら二次転写ロール３１およびベルトクリーナ２７が中間転写ベルト２０から離間するようになっている。
なお本実施の形態の画像形成装置１では、中間転写ベルト２０、一次転写ロール１５、および二次転写ロール３１によりトナー像を用紙に転写する転写手段が構成される。
【００２１】
さらに、定着部５０は、ハロゲンランプ等の加熱源を内蔵する加熱ロール５１と、この加熱ロール５１に圧接配置される加圧ロール５２とを備えており、これら加熱ロール５１と加圧ロール５２との間に形成される定着ニップ域にトナー像が転写された用紙を通過させることで、定着を行うようになっている。
【００２２】
＜搬送手段の説明＞
図２は、本実施の形態の搬送手段８０について説明した図である。
図２に示すように搬送手段８０は、二次転写部３０から定着部５０に用紙Ｐを搬送する回転体の一例としての回転ベルト８１と、回転ベルト８１の回転軸方向外側に、用紙Ｐを案内する記録材案内部の一例としての用紙案内部８２とを備える。更に搬送手段８０は、回転ベルト８１１を回転させるための駆動手段８３と、図示しないファンに接続され用紙Ｐを回転ベルト８１１に吸着させるための負圧を発生させる空気流を通すためのダクト８４とを備える。
【００２３】
回転ベルト８１は、ゴム等の伸縮性のある材料から形成される。そして回転ベルト８１は、一対の回転ロール８５により張架され、回転ロール８５が回転することにより回転を行なう。また回転ロール８５には駆動手段８３が接続されている。そのため駆動手段８３により駆動力が発生すると、回転ロール８５を介して回転ベルト８１が回転する。そして回転ベルト８１が回転することにより、用紙Ｐを、二次転写部３０から定着部５０に搬送することができる。
【００２４】
また回転ベルト８１には、規則的に配列する孔部８１ａが複数形成されている。上述したダクト８４は、この孔部８１ａと接続されており、図示しないファンを回転させるとダクト８４を介して、孔部８１ａから空気が吸引される。そのため回転ベルト８１上に用紙Ｐが搬送されると、用紙Ｐと回転ベルト８１との間に負圧が生じ、用紙Ｐは、回転ベルト８１に吸引されつつ、搬送される。
【００２５】
用紙案内部８２は、用紙Ｐの搬送方向に沿って形成される突起部の一例としてのリブ８２ａを有する。そして用紙Ｐはこのリブ８２ａに接触しつつ搬送される。そのため摩擦力を軽減した状態で、用紙Ｐを搬送することができる。用紙案内部８２に樹脂等を成形加工することで製造することができる。
【００２６】
ここで用紙案内部８２に形成されるリブ８２ａにより転写されたトナー像に乱れが生じる場合がある。つまり二次転写部３０により用紙Ｐにトナー像が転写される際には、上述したように二次転写ロール３１に電圧を印加し電界をかけることにより行なう。そのためその際に用紙Ｐに発生した静電気が、搬送手段８０に達するまでに予め定められた量以上残存していると、用紙Ｐがリブ８２ａに静電吸着しやすくなる。そして用紙Ｐがリブ８１２ａに静電吸着すると、用紙Ｐとリブ８２ａとの間に生じる摩擦により放電が生じる。そしてこの放電により、リブ８２ａに沿って用紙Ｐ上のトナーが飛び散る現象が生じる。その結果、トナー像に乱れが生じ、形成される画像に画像乱れが生じる。この画像乱れは、用紙Ｐとリブ８２ａとが接触した箇所で生じ、用紙Ｐの搬送方向（副走査方向）に伸びる筋状のムラとなって現れる。
【００２７】
このような現象を抑制するため、本実施の形態では、二次転写部３０と搬送手段８０の間に配され、用紙Ｐを除電する除電手段７０を以下のような形態としている。
【００２８】
＜除電手段の説明＞
図３は、本実施の形態の除電手段７０について説明した図である。
図３に示すように除電手段７０は、第１除電部７１と、用紙Ｐを搬送手段８０に向けて案内する搬送案内部７２と、第１除電部７１の用紙搬送方向下流側に配される第２除電部７３とを備える。つまり除電手段７０は、予め定められた距離をおいて配される２つの除電部を備える。
【００２９】
図４（ａ）〜（ｂ）は、第１除電部７１を更に詳しく説明した図である。
第１除電部７１は、板状の金属等からなる電極であり、その用紙搬送方向の厚さ（肉厚）は、例えば０．５ｍｍである。そして長尺方向を主走査方向に対しほぼ平行になるようにして配置される。また図４（ａ）に示すように第１除電部７１は、取り付け部７１１により固定されている。この取り付け部７１１は、樹脂等からなり、第１除電部７１は、この取り付け部７１１に埋め込まれることで固定が行なわれる。また第１除電部７１は、尖状突起７１ａを有する。本実施の形態において尖状突起７１ａは、図４（ｂ）に示すように、例えば、高さ（ａ）が２ｍｍであり、ピッチ（ｂ）が３ｍｍである。そして尖状突起７１ａの先端部は、用紙Ｐの搬送方向に向いており、用紙Ｐが搬送されたときの用紙Ｐと尖状突起７１ａの距離は、例えば０．５ｍｍである。
【００３０】
搬送案内部７２は、樹脂等による成形品であり、用紙Ｐの搬送方向に沿って形成されるリブ７２ａを有する。そして用紙Ｐが二次転写部３０から搬送されると、用紙Ｐは、搬送案内部７２のリブ７２ａに接触することで案内され搬送手段７０に向けて誘導される。
【００３１】
第２除電部７３は、シート状の部材であり、その長尺方向を主走査方向に対しほぼ平行になるようにして配置される。また図２や図３に示すように第２除電部７３は、搬送案内部７２のリブ７２ａの下側に配される。即ち第２除電部７３は、搬送案内部７２のリブ７２ａを挟み用紙Ｐの搬送路と対向して配される。本実施の形態では、第２除電部７３は、導電性繊維を含む材料である導電性不織布からなる。このような材料からなる部材を、第２除電部７３として使用することで画像乱れをより生じにくくすることができる。つまり第１除電部７１のように尖状突起７１ａの箇所で用紙Ｐの除電を行なうと、用紙Ｐから除去される静電気の分布が主走査方向で不均一になりやすくなる。即ち尖状突起７１ａにより除電された部分と尖状突起７１ａの間で除電された部分とで静電気の分布が不均一になりやすい。そしてこれにより画像乱れが生じやすくなる。本実施の形態の第２除電部７３では、静電気の分布が主走査方向で均一になりやすく、画像乱れがより生じにくくなる。
第２除電部７３の短尺方向の長さは、例えば、５ｍｍであり、厚さは例えば１ｍｍである。また用紙Ｐが搬送された際の用紙Ｐと第２除電部７３の最近接距離は、例えば１ｍｍ〜２ｍｍである。
【００３２】
＜除電手段と搬送手段の位置関係の説明＞
本実施の形態では、除電手段７０と搬送手段８０により搬送路ＹＲ（図１参照）が形成される。そして搬送手段８０は、用紙Ｐが搬送手段８０を通過するときの搬送方向の水平方向に対する角度が、用紙Ｐが除電手段７０を通過するときの搬送方向の水平方向に対する角度に対し小さくなるように配する。そしてこれにより搬送路ＹＲの途中であって、除電手段７０と搬送手段８０の境界付近で用紙Ｐの搬送方向を変更している。つまりこのようにすること下側に凸の形状で用紙Ｐはループを描くようにして搬送される。
【００３３】
このようにすることで、定着部５０において発生する紙シワを抑制することができる。つまり用紙Ｐをループを描くように搬送させることで、用紙Ｐは曲がりながら搬送される。これは用紙Ｐがたるみつつ搬送されると言い換えることができる。そしてこのようにすることで定着部５０の定着ニップ域に用紙Ｐの先端部がほぼ同時に入らなかった場合、即ち用紙Ｐが斜めに入った場合でも紙シワが生じにくくなる。つまり用紙Ｐが斜めに定着ニップ域に入った場合、用紙Ｐに作用する応力が用紙Ｐの主走査方向で不均一となりこれに起因して用紙Ｐに紙シワが生じる。一方、用紙Ｐにたるみがあると、このたるみにより用紙Ｐに作用する応力が緩和され紙シワが生じにくくなる。
【００３４】
＜除電手段の機能の説明＞
次に第１除電部７１および第２除電部７３の機能について説明を行なう。
上述した筋状のムラを抑制するため本実施の形態では、主に第２除電部７３で用紙Ｐの静電気を除電する。つまりこの筋状のムラは用紙Ｐの下側、即ち第２除電部７３側の電位が予め定められた電位より大きいために生じる現象である。そのため用紙Ｐの下側に第２除電部７３を配することで、より効果的に用紙Ｐの下側の静電気を除去し、除電を行なうことができる。
【００３５】
また本実施の形態では、第２除電部７３は、用紙Ｐと非接触で配される。用紙Ｐと接触するように第２除電部７３を配すると、用紙Ｐの下側から静電気をより多く除去することになる。その結果、用紙Ｐの下側と用紙Ｐの上側との静電気量の差が大きくなりすぎる。そのためこれに起因して用紙Ｐの下側と上側で電位のバランスが崩れ、用紙Ｐの上側に形成されているトナー像が動きやすくなる。そしてトナー像が動くと用紙Ｐに形成される画像に乱れが生じる。
【００３６】
更に本実施の形態では、第２除電部７３は、前述した用紙Ｐの搬送方向を変更する箇所に隣接して配することが好ましい。用紙Ｐはこの箇所において、搬送方向を変化させるために、下側から上側に押される力が働く。そのため用紙Ｐが予め定められた搬送路から浮いて搬送されることが起きにくい。よって第２除電部７３と用紙Ｐとの距離が予め定められた距離となりやすく、用紙Ｐの下側の静電気量を予め定められた範囲内としやすくなる。
【００３７】
また第１除電部７１と第２除電部７３とは、予め定められた距離より離間させて配することが好ましい。ここで第１除電部７１と第２除電部７３とが予め定められた距離未満であると、第１除電部７１と第２除電部７３との間に電気的な相互作用が生じ、他の画像乱れが生じやすくなる。つまり本実施の形態では、第２除電部７３を設けることで、前述した画像に筋状のムラが生じる画像乱れは抑制できるが、他の画像乱れが生じやすくなる。
【００３８】
図５（ａ）〜（ｃ）は、画像乱れについて説明した概念図である。
ここで図５（ａ）は、上述した搬送手段８０に設けられるリブ８２ａに起因する画像乱れであり、用紙Ｐとリブ８２ａとが接触した箇所で生じ、紙の搬送方向（副走査方向）に伸びる筋状のムラである。また図５（ｂ）は、第２除電部７３を設けることに起因する画像乱れであり、用紙Ｐ全体に生じ、用紙Ｐの搬送方向にトナー像が飛び散るものである。図５（ｂ）の例では、矩形状の画像を用紙Ｐ上に形成しているが、トナー像が飛び散ることにより用紙Ｐの搬送方向に向けて鋸歯状の部分ができる画像となっている。また更に図５（ｃ）は、第２除電部７３を設けることに起因する画像乱れであり、用紙Ｐ全体に生じ、用紙Ｐの搬送方向にハーフトーン状にできる筋状のムラである。
【００３９】
第１除電部７１と第２除電部７３とは、予め定められた距離より離間させて配することにより、図５（ｂ）および図５（ｃ）の画像乱れが抑制できる。より具体的には、第１除電部７１と第２除電部７３を、例えば２ｍｍ以上離間させて配することが好ましい。
また第１除電部７１は、一般的には、−３ｋＶ等の負の電圧を印加することにより用紙Ｐの静電気を除電するが、本実施の形態では、接地電圧とすることが好ましい。本実施の形態では、第１除電部７１を接地電圧とすることで、図５（ｂ）および図５（ｃ）の画像乱れを更に抑制できる。
【００４０】
そして本実施の形態では、第２除電部７３の用紙搬送方向の幅を第１除電部７１の用紙搬送方向の幅より大きくすることが好ましい。更に第２除電部７３と用紙Ｐとの距離を第１除電部と用紙Ｐとの距離より大きくすることが好ましい。このようにすることで、第２除電部においてより多くの静電気を除去することができ、図５（ａ）〜図５（ｃ）の画像乱れが、より生じにくくなる。
【符号の説明】
【００４１】
１…画像形成装置、１１…感光体ドラム、１５…一次転写ロール、２０…中間転写ベルト、３０…二次転写部、３１…二次転写ロール、５０…定着部、７０…除電手段、７１…第１除電部、７１ａ…尖状突起、７２…搬送案内部、７２ａ，８２ａ…リブ、７３…第２除電部、８０…搬送手段、８１…回転ベルト、８２…用紙案内部
【図１】
0005779864.tif 000002
【図２】
0005779864.tif 000003
【図３】
0005779864.tif 000004
【図４】
0005779864.tif 000005
【図５】
0005779864.tif 000006